(57)【要約】【課題】ＩＤＦが不要であり、ＭＤＦも大型化にならず、しかも各フロアでの光ファイバ接続作業が不要であり、分岐作業が容易な構内用光ファイバケ−ブルの提供【解決手段】この発明の構内用光ファイバケ−ブルは、断面が略短冊状からなる複数個の光エレメント１の各長径ａ側を、中心層を構成する円筒状のテンションメンバ−２の外周部に当接させるとともに、当接して隣接する前記光エレメント１の各長径ａの両端部がほぼ接するように配設し、その上に押さえ巻き８を施して第１層を構成させ、第２層目からは、直下層の外周部に、複数個の光エレメント１の各長径ａ側を当接させるとともに、当接して隣接する前記光エレメン１の各長径ａの両端部がほぼ接するように配設したのち、その上に押さえ巻き８を施し、第２層目以上の各層を構成している。【選択図】図２
2005128270.tif 000002
【特許請求の範囲】
【請求項１】
断面が略短冊状からなる複数個の光エレメント（１）の各長径（ａ）側を、中心層を構成する円筒状のテンションメンバ−（２）の外周部に当接させるとともに、当接して隣接する前記光エレメント（１）の各長径（ａ）の両端部がほぼ接するように配設し、その上に押さえ巻き（８）を施して第１層を構成させ、第２層目からは、直下層の外周部に、複数個の光エレメント（１）の各長径（ａ）側を当接させるとともに、当接して隣接する前記光エレメント（１）の各長径（ａ）の両端部がほぼ接するように配設したのち、その上に押さえ巻き（８）を施し、第２層目以上の各層を構成することを特徴とする構内用光ファイバケ−ブル
【発明の詳細な説明】
【技術分野】
【０００１】
この発明はビル・マンション内に布設される構内用光ファイバケ−ブルに係るもので、詳しくはケ−ブルの構造に関するものである。
【背景技術】
【０００２】
ビル・マンションの構内に光ファイバケ−ブルを布設する場合には、一般的に次のような二つの布設形態がとられている。
（１）ビル・マンションの各階毎又は数階毎に屋内用光接続箱（以下ＩＤＦと略称する。）を設置する接続箱設置型
（２）光ケ−ブル多条布設型
【０００３】
（１）の形態では、一本の幹線用光ケ−ブルを垂直に布設し、ＩＤＦの設置個所で、幹線用光ケ−ブルの外被を除去し、心線を取り出し、光ファイバ接続作業などが必要となり、高い工事スキルと長い工期が必要となるという問題点があった。
【０００４】
また、ＩＤＦを各階毎に設置する場合には、多数のＩＤＦが必要であるという問題点があり、ＩＤＦの数を削減するために、数階毎に共通のＩＤＦを置する場合には、横系配線光ケ−ブルを垂直方向にも配線することが必要であり、ケ−ブル長が長くなり、工事量も増えるという問題点があった。
【０００５】
（２）の形態では、ＩＤＦは必要ないが、ケ−ブル布設本数及び条長が長くなり、工期が長くなるという問題点があった。
【０００６】
また、主配電盤（以下ＭＤＦと略称する。）側では、多数の光ケ−ブルが配線されるため、ＭＤＦ自体が大型になるという問題点があった。
【０００７】
さらに、低層階部では、多数の光ケ−ブルが配線されるために、ケ−ブルの占有スペ−スを多くとらなければならないとう問題点があった。
【０００８】
【特許文献１】特開平１０−３３３０００号公報
【発明の開示】
【発明が解決しようとする課題】
【０００９】
この発明は、背景技術で記述した問題点を解消するためになされたもので、ＩＤＦが不要であり、ＭＤＦも大型化にならず、しかも各フロアでの光ファイバ接続作業が不要であり、分岐作業も容易な構内用光ファイバケ−ブルの提供を目的とするものである。
【課題を解決するための手段】
【００１０】
この発明の構内用光ファイバケ−ブルは、断面が略短冊状からなる複数個の光エレメントの各長径側を、中心層を構成する円筒状のテンションメンバ−の外周部に当接させるとともに、当接して隣接する前記光エレメントの各長径の両端部がほぼ接するように配設し、その上に押さえ巻きを施して第１層を構成させ、第２層目からは、直下層の外周部に、複数個の光エレメンの各長径側を当接させるとともに、当接して隣接する前記光エレメントの各長径の両端部がほぼ接するように配設したのち、その上に押さえ巻きを施し、第２層目以上の各層を構成していることを特徴とするものである。
【発明の効果】
【００１１】
この発明は、次のような効果を有する。
（１）ＩＤＦが不要である。
（２）ＭＤＦが大型化にならない。
（３）各フロアでの光ファイバ接続作業が不要である。
（４）各フロアでの分岐作業が容易である。
（５）布設工事が簡単で、早く、工期の短縮と工事費の節減ができる。
（６）高い工事スキルが不要である。
（７）ケ−ブル外径を細く仕上げることができる。
（８）高度のスキルを要する光ファイバ接続作業が不要であるので、信頼性が高い。
【発明を実施するための最良の形態】
【００１２】
各フロアでの光ファイバ接続作業をなくし、分岐作業を容易にするという目的を、中心層となるテンションメンバ−の周り、各フロアにおいて、適宜に取り出し可能な所要数の光エレメントを整列的に集合させることにより実現した。
【実施例】
【００１３】
この発明の実施の一例を図面を参照しながら説明する。
図１（ａ）〜（ｅ）は、光エレメント１の一実施例を示す断面図で、３は光ファイバ素線、４は鋼線又はＦＲＰ、５はテ−プ心線、６は切欠、７は難燃性ポリエチレン、ポリエチレン、ＰＶＣ、ポリオレフィンなどの熱可塑性樹脂又は熱可塑性エラストマ−からなるシ−スである。なお、切欠６は、必要に応じて、省略してもよい。
【００１４】
図１（ａ）は１心光エレメント（素線ｘ１）、図１（ｂ）は２心光エレメント（素線ｘ２）、図１（ｃ）は２心光エレメント（２心テ−プ）、図１（ｄ）は４心光エレメント（４心テ−プ）、図１（ｅ）は８心光エレメント（４心テ−プｘ２）の各実施例を示しているが、光エレメント１の構成については、図１（ａ）〜（ｅ）に示す構成に限定されるものではない。
【００１５】
テンションメンバ−２は、鋼より線の上に、難燃性ポリエチレン、ポリエチレン、ＰＶＣ、ポリオレフィンなどの熱可塑性樹脂又は熱可塑性エラストマ−からなるシ−スを施し、円筒状に仕上げている。
【００１６】
まず、所要数の光エレメント１の各長径ａ側を、図２、図３に示すように、中心層を構成する円筒状のテンションメンバ−２の外周部に当接させるとともに、当接して隣接する光エレメント１の各長径ａの両端部がほぼ接するように配設し、その上に、例えば、プラスチック被覆鉄線やプラスチック紐等からなる押さえ巻き８を施して第１層を構成させる。
【００１７】
第２層目からは、直下層の外周部に、複数個の光エレメント１の各長径ａ側を当接させるとともに、当接して隣接する光エレメント１の各長径ａの両端部がほぼ接するように配設したのち、その上に押さえ巻き８を施し、第２層目以上の各層を構成させる。
【００１８】
図２（ａ）は、第１層に１，２心光エレメント１を６個、第２層に１０個、第３層に１４個、第４層に２２個を配置・集合した場合の断面図で、図２（ｂ）は、第１層に１，２心光エレメント１を８個、第２層に１２個、第３層に１６個、第４層に２４個を配置・集合した場合の断面図でる。
【００１９】
図３（ａ）は、第１層に４，８心光エレメント１を６個、第２層に９個、第３層に１３個、第４層に２０個を配置・集合した場合の断面図で、図３（ｂ）は、第１層に４，８心光エレメント１を８個、第２層に１１個、第３層に１５個、第４層に２２個を配置・集合した場合の断面図である。
【００２０】
図２、図３の断面図から分かるように、ケ−ブルの仕上がり外径は、光エレメント１の短径の倍数に、テンションメンバ−２の外径を加算した値に略等しくなるので、光エレメント１の短径を小さくすることにより、ケ−ブルの仕上がり外径を小さくすることができる。
【００２１】
なお、本願ケ−ブルはビル・マンションの構造や仕様・用途に合わせて、光エレメント１の線心数や光エレメント１の数を自由に選択することが可能であり、またビル・マンション構造に合わせて、所定の位置において、必要な長さの分岐線となる光エレメント１を取り出しておくことも可能である。
【産業上の利用可能性】
【００２２】
光エレメントの寸法、特に短径を小さくすることによって、ケブルの仕上がり外径を小さく抑えることができるので、既設ビル・マンション等において、ケ−ブルが占有できるスペ−スに制限がある場合等の用途にも適用できる。
【図面の簡単な説明】
【００２３】
【図１】光エレメントの一実施例を示す断面図
【図２】光エレメントを集合した状態の一実施例を示す断面図
【図３】光エレメントを集合した状態の一実施例を示す断面図
【符号の説明】
【００２４】
１ 光エレメント
２ テンションメンバ−
３ 光ファイバ素線
４ 鋼線
５ テ−プ心線
６ 切欠
７ シ−ス
８ 押さえ巻き
ａ 光エレメントの長径
【図１】
2005128270.tif 000003
【図２】
2005128270.tif 000004
【図３】
2005128270.tif 000005